(57)【要約】    【課題】表示画面の焼き付きを確実に防止させることができる表示画面の焼付防止装置及び焼付防止方法を提供することを目的とする。    【解決手段】入力映像信号に基づく１フレーム分の画像全体の表示位置を時間経過に伴い移動させつつ、この移動映像中に所定期間に亘り一定の映像信号レベルで表示される領域が存在する場合には、当該領域に限りその信号レベルを低下させるべきレベル調整を映像信号に対して施す。    【選択図】図２
2007271678.tif 000002
【特許請求の範囲】
【請求項１】
表示画面の焼付防止機能を備えた画像表示装置であって、
入力映像信号に基づく１フレーム分の画像全体の表示位置を時間経過に伴い移動させるべき処理を前記入力映像信号に施して表示移動映像信号を得る表示位置移動手段と、
前記表示移動信号によって表される画像中に所定期間に亘り一定輝度で表示される領域が存在する場合には前記領域に対して輝度レベルを低下させるべく前記表示移動映像信号のレベルを調整する映像信号レベル調整手段と、を有することを特徴とする画像表示装置。
【請求項２】
前記映像信号レベル調整手段は、
前記表示移動映像信号をｎフレーム表示期間（ｎは自然数）だけ遅延させて遅延表示移動映像信号を得る遅延手段と、
前記表示移動映像信号によって表される画像中から所定以上の表示面積を有する領域であり且つ前記領域内での最低及び最高輝度レベルの輝度差が所定輝度差よりも小である領域を第１焼付領域候補として検出する第１焼付領域候補検出手段と、
前記遅延表示移動映像信号によって表される画像中から所定以上の表示面積を有する領域であり且つ前記領域内での最低及び最高輝度レベルの輝度差が所定輝度差よりも小である領域を第２焼付領域候補として検出する第２焼付領域候補検出手段と、
第１焼付領域候補によって示される領域と前記第２焼付領域候補によって示される領域とが重複する重複領域を検出する重複領域検出手段と、
累積重複領域を示す情報を記憶する累積重複領域記憶手段と、
前記累積重複領域記憶手段に記憶されている前記累積重複領域と前記重複領域とが重複する領域を前記累積重複領域を示す情報として前記重複領域検出手段に上書き記憶させる手段と、
前記所定期間毎に、前記累積重複領域記憶手段に記憶されている前記累積重複領域にて示される領域の輝度レベルを低下させるべき映像信号レベル調整信号を生成する映像信号レベル調整信号生成手段と、
前記映像信号レベル調整信号に応じて前記表示移動映像信号の信号レベルを調整する手段と、を有することを特徴とする請求項１記載の画像表示装置。
【請求項３】
前記累積重複領域にて示される領域の平均輝度を検出する平均輝度検出手段を更に備え、
前記映像信号レベル調整信号生成手段は、前記平均輝度が所定輝度よりも小である場合には前記表示移動映像信号の輝度レベルを維持させる一方、前記平均輝度が前記所定輝度よりも大なる場合には前記平均輝度が大なるほど大幅に輝度レベルを低下させるべき前記映像信号レベル調整信号を生成することを特徴とする請求項２記載の画像表示装置。
【請求項４】
前記映像信号レベル調整信号生成手段は、前記累積重複領域の周辺領域に対しては前記累積重複領域に向けて徐々に前記輝度レベルの低下度合いを変化させるべき前記映像信号レベル調整信号を生成することを特徴とする請求項２又は３記載の画像表示装置。
【請求項５】
画像表示装置の表示画面の焼き付きを防止する表示画面の焼付防止方法であって、
入力映像信号に基づく１フレーム分の画像全体の表示位置を時間経過に伴い移動させるべき処理を前記入力映像信号に施して表示移動映像信号を得る表示位置移動行程と、
前記表示移動信号によって表される画像中から所定期間に亘り一定輝度で表示される領域が存在する場合には前記領域に対して輝度レベルを低下させるべく前記表示移動映像信号の輝度レベルを調整する輝度調整行程と、を有することを特徴とする表示画面の焼付防止方法。
【請求項６】
前記輝度調整行程は、
前記表示移動映像信号によって表される画像中から所定以上の表示面積を有する領域であり且つ前記領域内での最低及び最高輝度レベルの輝度差が所定輝度差よりも小である領域を第１焼付領域候補として検出する第１焼付領域候補検出行程と、
前記表示移動映像信号をｎフレーム表示期間（ｎは自然数）だけ遅延させた遅延表示移動映像信号によって表される画像中から所定以上の表示面積を有する領域であり且つ前記領域内での最低及び最高輝度レベルの輝度差が所定輝度差よりも小である領域を第２焼付領域候補として検出する第２焼付領域候補検出手行程と、
第１焼付領域候補によって示される領域と前記第２焼付領域候補によって示される領域とが重複する重複領域を検出する重複領域検出行程と、
累積重複領域を示す情報をメモリに記憶させる累積重複領域記憶行程と、
前記メモリに記憶されている前記累積重複領域と前記重複領域とが重複する領域を前記累積重複領域を示す情報として前記メモリに上書き記憶させる行程と、
前記所定期間毎に、前記メモリに記憶されている前記累積重複領域を示す情報を読み出して当該累積重複領域の輝度レベルを低下させるべき映像信号レベル調整信号を生成する映像信号レベル調整信号生成行程と、
前記映像信号レベル調整信号に応じて前記表示移動映像信号の輝度レベルを調整する行程と、を有することを特徴とする請求項５記載の表示画面の焼付防止方法。
【請求項７】
前記累積重複領域にて示される領域の平均輝度を検出する平均輝度検出行程を更に備え、
前記映像信号レベル調整信号生成行程は、前記平均輝度が所定輝度よりも小である場合には前記表示移動映像信号の輝度レベルを維持させる一方、前記平均輝度が前記所定輝度よりも大なる場合には前記平均輝度が大なるほど大幅に輝度レベルを低下させるべき前記映像信号レベル調整信号を生成することを特徴とする請求項６記載の表示画面の焼付防止方法。
【請求項８】
前記映像信号レベル調整信号生成行程は、前記累積重複領域の周辺領域に対しては前記累積重複領域に向けて徐々に前記輝度レベルの低下度合いを変化させるべき前記映像信号レベル調整信号を生成することを特徴とする請求項６又は７記載の表示画面の焼付防止方法。
【請求項９】
複数の表示画素を有する表示デバイスの表示画面の焼付防止機能を備えた画像表示装置であって、
入力映像信号に基づく１フレーム分の画像全体の表示位置を時間経過に伴い移動させるべき処理を前記入力映像信号に施して表示移動映像信号を得る表示位置移動手段と、
前記表示移動映像信号によって示される信号レベルを前記表示画素毎に所定期間に亘り累積加算して得られた累積加算結果を示す累積映像信号レベルを生成する累積映像信号レベル演算手段と、
前記表示画素に対応した前記累積映像信号レベルに応じて当該表示画素に対応した前記表示移動映像信号の信号レベルを調整する映像信号レベル調整手段と、を有することを特徴とする画像表示装置。
【請求項１０】
複数の表示画素を有する表示デバイスの表示画面の焼付防止機能を備えた画像表示装置であって、
入力映像信号に基づく１フレーム分の画像全体の表示位置を時間経過に伴い移動させるべき処理を前記入力映像信号に施して表示移動映像信号を得る表示位置移動手段と、
前記入力映像信号によって示される信号レベルを前記表示移動映像信号に基づく移動を考慮して前記表示画素毎に所定期間に亘り累積加算して得られた累積加算予測結果を示す累積映像信号レベルを生成する累積映像信号レベル予測演算手段と、
前記表示画素に対応した前記累積映像信号レベルに応じて当該表示画素に対応した前記表示移動映像信号の信号レベルを調整する映像信号レベル調整手段と、を有することを特徴とする画像表示装置。
【請求項１１】
前記映像信号レベル調整手段は、前記累積映像信号レベルが所定値よりも小である場合には前記表示移動映像信号の信号レベルを維持させる一方、前記累積映像信号レベルが前記所定値よりも大なる場合には前記累積映像信号レベルが大なるほど大幅に信号レベルを低下させるべき調整を行うことを特徴とする請求項９または１０に記載の画像表示装置。
【請求項１２】
前記表示画素の各々は、第１の色で発光する第１色画素と前記第１の色とは異なる第２の色で発光する第２色画素とからなり、
前記累積映像信号レベル演算手段または前記累積映像信号レベル予測演算手段は、前記第１色画素に対応した前記累積映像信号レベルを第１色累積映像信号レベルとして生成すると共に前記第２色画素に対応した前記累積映像信号レベルを第２色累積映像信号レベルとして生成する手段を含み、
前記映像信号レベル調整手段は、前記表示画素毎に当該表示画素に属する前記第１色画素の前記第１色累積映像信号レベルと前記第２色画素の前記第２色累積映像信号レベルに基づいて前記表示画素の代表累積映像信号レベルを算出し、この代表累積映像信号レベルに応じて前記表示画素に属する前記第１色画素及び前記第２色画素各々に対応した前記表示移動映像信号の信号レベルを調整することを特徴とする請求項９または１０に記載の画像表示装置。
【請求項１３】
前記表示画素の前記代表累積映像信号レベルは、当該表示画素に属する前記第１色画素の前記第１色累積映像信号レベルと前記第２色画素の前記第２色累積映像信号レベルのうち大なる累積映像信号レベルであることを特徴とする請求項１２記載の画像表示装置。
【請求項１４】
前記表示画素の前記代表累積映像信号レベルは、当該表示画素に属する前記第１色画素の前記第１色累積映像信号レベルと前記第２色画素の前記第２色累積映像信号レベルの中間の累積映像信号レベルであることを特徴とする請求項１２記載の画像表示装置。
【請求項１５】
前記映像信号レベル調整手段は、前記代表累積映像信号レベルが所定値よりも小である場合には前記表示移動映像信号レベルを維持させる一方、前記代表累積映像信号レベルが前記所定値よりも大なる場合には前記代表累積映像信号レベルが大なるほど大幅に信号レベルを低下させるべき調整を行うことを特徴とする請求項１２乃至１４のいずれか１に記載の画像表示装置。
【請求項１６】
複数の表示画素を有する表示デバイスの表示画面の焼付防止機能を備えた画像表示装置であって、
入力映像信号に基づく１フレーム分の画像全体の表示位置を時間経過に伴い移動させるべき処理を前記入力映像信号に施して表示移動映像信号を得る表示位置移動手段と、
前記表示移動映像信号によって示される信号レベルを複数の前記表示画素からなる表示画素ブロック毎に所定期間に亘り累積加算して得られた累積加算結果を示す累積映像信号レベルを生成する累積映像信号レベル演算手段と、
前記表示画素ブロックに対応した前記累積映像信号レベルに応じて当該表示画素ブロックに属する前記表示画素各々に対応した前記表示移動映像信号の信号レベルを調整する映像信号レベル調整手段と、を有することを特徴とする画像表示装置。
【請求項１７】
複数の表示画素を有する表示デバイスの表示画面の焼付防止機能を備えた画像表示装置であって、
入力映像信号に基づく１フレーム分の画像全体の表示位置を時間経過に伴い移動させるべき処理を前記入力映像信号に施して表示移動映像信号を得る表示位置移動手段と、
前記入力映像信号によって示される信号レベルを前記表示移動映像信号に基づく移動を考慮して複数の前記表示画素からなる表示画素ブロック毎に所定期間に亘り累積加算して得られた累積加算結果を示す累積映像信号レベルを生成する累積映像信号レベル予測演算手段と、
前記表示画素ブロックに対応した前記累積映像信号レベルに応じて当該表示画素ブロックに属する前記表示画素各々に対応した前記表示移動映像信号の信号レベルを調整する映像信号レベル調整手段と、を有することを特徴とする画像表示装置。
【請求項１８】
前記映像信号レベル調整手段は、前記累積映像信号レベルが所定値よりも小である場合には前記表示移動映像信号の信号レベルを維持させる一方、前記累積映像信号レベルが前記所定値よりも大なる場合には前記累積映像信号レベルが大なるほど大幅に信号レベルを低下させるべき調整を行うことを特徴とする請求項１６または１７に記載の画像表示装置。
【請求項１９】
前記表示画素の各々は、第１の色で発光する第１色画素と前記第１の色とは異なる第２の色で発光する第２色画素とからなり、
前記累積映像信号レベル演算手段または前記累積映像信号レベル予測演算手段は、前記第１色画素に対応した前記表示移動映像信号に基づく前記累積映像信号レベルを第１色累積映像信号レベルとして生成すると共に前記第２色画素に対応した前記表示移動映像信号に基づく前記累積映像信号レベルを第２色累積映像信号レベルとして生成する手段を含み、
前記映像信号レベル調整手段は、前記表示画素ブロック毎に当該表示画素ブロック内の前記表示画素各々に属する前記第１色画素の前記第１色累積映像信号レベルと前記第２色画素の前記第２色累積映像信号レベルに基づいて前記表示画素ブロックの代表累積映像信号レベルを算出し、この代表累積映像信号レベルに応じて前記表示画素ブロックに属する前記第１色画素及び前記第２色画素各々に対応した前記表示移動映像信号の信号レベルを調整することを特徴とする請求項１６または１７に記載の画像表示装置。
【請求項２０】
前記映像信号レベル調整手段は、前記代表累積映像信号レベルが所定値よりも小である場合には前記表示移動映像信号の信号レベルを維持させる一方、前記代表累積映像信号レベルが前記所定値よりも大なる場合には前記代表累積映像信号レベルが大なるほど大幅に信号レベルを低下させるべき調整を行うことを特徴とする請求項１９記載の画像表示装置。
【請求項２１】
複数の表示画素を有する表示デバイスの表示画面の焼付防止機能を備えた画像表示装置であって、
入力映像信号に基づく１フレーム分の画像全体の表示位置を時間経過に伴い移動させるべき処理を前記入力映像信号に施すことにより第１の表示移動映像信号又は前記第１の表示移動映像信号とは異なる移動形態にて前記画像全体の表示位置が時間経過に伴って移動する第２の表示移動映像信号を生成する表示位置移動手段と、
前記入力映像信号によって示される信号レベルを前記第１の表示移動映像信号に基づく移動を考慮して前記表示画素毎に所定フレームに亘り累積加算して得られた累積加算予測結果を示す第１の累積映像信号レベルを生成する第１の累積映像信号レベル予測演算手段と、
前記入力映像信号によって示される信号レベルを前記第２の表示移動映像信号に基づく移動を考慮して前記表示画素毎に所定フレームに亘り累積加算して得られた累積加算予測結果を示す第２の累積映像信号レベルを生成する第２の累積映像信号レベル予測演算手段と、
１フレームまたは１フレームの一部分の前記表示画素に対応した前記第１の累積映像信号レベルと前記第２の累積映像信号レベルとの比較結果に基づき、前記第１の表示移動映像信号及び前記第２の表示移動映像信号の内の一方を示す選択信号を生成する映像信号レベル制御手段と、を具備し、
前記表示位置移動手段は、前記第１の表示移動映像信号及び前記第２の表示移動映像信号各々の内から前記選択信号によって示される方を択一的に生成することを特徴とする画像表示装置。
【請求項２２】
複数の表示画素を有する表示デバイスの表示画面の焼付防止方法であって、
入力映像信号に基づく１フレーム分の画像全体の表示位置を時間経過に伴い移動させるべき処理を前記入力映像信号に施して表示移動映像信号を得る表示位置移動行程と、
前記表示移動映像信号によって示される信号レベルを前記表示画素毎に所定期間に亘り累積加算して得られた累積加算結果を示す累積映像信号レベルを生成する累積映像信号レベル演算行程と、
前記表示画素に対応した前記累積映像信号レベルに応じて当該表示画素に対応した前記表示移動映像信号の信号レベルを調整する映像信号レベル調整行程と、を有することを特徴とする表示画面の焼付防止方法。
【請求項２３】
複数の表示画素を有する表示デバイスの表示画面の焼付防止方法であって、
入力映像信号に基づく１フレーム分の画像全体の表示位置を時間経過に伴い移動させるべき処理を前記入力映像信号に施して表示移動映像信号を得る表示位置移動行程と、
前記入力映像信号によって示される信号レベルを前記表示移動映像信号に基づく移動を考慮して前記表示画素毎に所定期間に亘り累積加算して得られた累積加算予測結果を示す累積映像信号レベルを生成する累積映像信号レベル予測演算行程と、
前記表示画素に対応した前記累積映像信号レベルに応じて当該表示画素に対応した前記表示移動映像信号の信号レベルを調整する映像信号レベル調整行程と、を有することを特徴とする表示画面の焼付防止方法。
【請求項２４】
複数の表示画素を有する表示デバイスの表示画面の焼付防止方法であって、
入力映像信号に基づく１フレーム分の画像全体の表示位置を時間経過に伴い移動させるべき処理を前記入力映像信号に施して表示移動映像信号を得る表示位置移動行程と、
前記表示移動映像信号によって示される信号レベルを複数の前記表示画素からなる表示画素ブロック毎に所定期間に亘り累積加算して得られた累積加算結果を示す累積映像信号レベルを生成する累積映像信号レベル演算行程と、
前記表示画素ブロックに対応した前記累積映像信号レベルに応じて当該表示画素ブロックに属する前記表示画素各々に対応した前記表示移動映像信号の信号レベルを調整する映像信号レベル調整行程と、を有することを特徴とする表示画面の焼付防止方法。
【請求項２５】
複数の表示画素を有する表示デバイスの表示画面の焼付防止方法であって、
入力映像信号に基づく１フレーム分の画像全体の表示位置を時間経過に伴い移動させるべき処理を前記入力映像信号に施して表示移動映像信号を得る表示位置移動行程と、
前記入力映像信号によって示される信号レベルを前記表示位移動映像信号に基づく移動を考慮して複数の前記表示画素からなる表示画素ブロック毎に所定期間に亘り累積加算して得られた累積加算結果を示す累積映像信号レベルを生成する累積映像信号レベル予測演算行程と、
前記表示画素ブロックに対応した前記累積映像信号レベルに応じて当該表示画素ブロックに属する前記表示画素各々に対応した前記表示移動映像信号の信号レベルを調整する映像信号レベル調整行程と、を有することを特徴とする表示画面の焼付防止方法。
【請求項２６】
複数の表示画素を有する表示デバイスの表示画面の焼付防止方法であって、
入力映像信号に基づく１フレーム分の画像全体の表示位置を時間経過に伴い移動させるべき処理を前記入力映像信号に施すことにより第１の表示移動映像信号又は前記第１の表示移動映像信号とは異なる移動形態にて前記画像全体の表示位置が時間経過に伴って移動する第２の表示移動映像信号を生成する表示位置移動行程と、
前記入力映像信号によって示される信号レベルを前記第１の表示移動映像信号表に基づく移動を考慮して前記表示画素毎に所定フレームに亘り累積加算して得られた累積加算予測結果を示す第１の累積映像信号レベルを生成する第１の累積映像信号レベル予測演算行程と、
前記入力映像信号によって示される信号レベルを前記第２の表示移動映像信号表に基づく移動を考慮して前記表示画素毎に所定フレームに亘り累積加算して得られた累積加算予測結果を示す第２の累積映像信号レベルを生成する第２の累積映像信号レベル予測演算行程と、
１フレームまたは１フレームの一部分の前記表示画素に対応した前記第１の累積映像信号レベルと前記第２の累積映像信号レベルとの比較結果に基づき、前記第１の表示移動映像信号及び前記第２の表示移動映像信号の内の一方を示す選択信号を生成する映像信号レベル制御行程と、を具備し、
前記表示位置移動行程は、前記第１の表示移動映像信号及び前記第２の表示移動映像信号各々の内から前記選択信号によって示される方を択一的に生成することを特徴とする表示画面の焼付防止方法。
【発明の詳細な説明】
【技術分野】
【０００１】
本発明は、画像表示装置の表示画面の焼き付きを防止する焼付防止機能に関する。
【背景技術】
【０００２】
ＣＲＴ(Cathode Ray Tube)、プラズマディスプレイパネルの如き蛍光体の励起に伴う発光現象を利用して表示を行う表示デバイスでは、長時間に亘る同一輝度レベルの表示に伴って蛍光体が劣化する、いわゆる焼き付きを起こす。
【０００３】
このような焼き付きを防止すべく、画面内での画像の表示位置を全体的に徐々に移動させることにより、各画素に対して強制的に輝度変化を生じさせるようにしたオービティング等の焼き付き防止方法が提案されている(例えば、特許文献１参照)。
【０００４】
しかしながら、このようなオービティングによる焼き付き防止では、略単一輝度の比較的大なる表示面積を有する表示物体を画面内で移動させた際には、輝度変化が生じない領域が存在する場合がある。
【０００５】
例えば、図１（ａ）に示す如く表示された単一輝度の表示物体ＱＢを波線にて示されるように移動させると、かかる表示物体ＱＢは時間経過に伴い、図１（ｂ）に示されるが如く、一点鎖線にて示される位置、破線にて示される位置、二点鎖線にて示される位置へと徐々に移動する。ところが、この際、図１（ｂ）に示される領域ＭＧでは、表示物体ＱＢの一部が常に重なることになる。よって、領域ＭＧは表示物体ＱＢ自体の輝度で常時表示されることになるので、焼き付きが生じてしまうという問題が生じる。
【特許文献１】特開２０００−２２７７７５号公報
【発明の開示】
【発明が解決しようとする課題】
【０００６】
本発明は、上記の問題を解決するためになされたものであり、表示画面の焼き付きを確実に防止させることができる画像表示装置及び表示画面の焼付防止方法を提供することを目的とする。
【課題を解決するための手段】
【０００７】
請求項１記載による画像表示装置は、表示画面の焼き付きを防止する焼付防止機能を備えた画像表示装置であって、入力映像信号に基づく１フレーム分の画像全体の表示位置を時間経過に伴い移動させるべき処理を前記入力映像信号に施して表示移動映像信号を得る表示位置移動手段と、前記表示移動信号によって表される画像中に所定期間に亘り一定輝度で表示される領域が存在する場合には前記領域に対して輝度レベルを低下させるべく前記表示移動映像信号のレベルを調整する映像信号レベル調整手段と、を有する。
【０００８】
又、請求項５記載による表示画面の焼付防止方法は、画像表示装置の表示画面の焼き付きを防止する表示画面の焼付防止方法であって、入力映像信号に基づく１フレーム分の画像全体の表示位置を時間経過に伴い移動させるべき処理を前記入力映像信号に施して表示移動映像信号を得る表示位置移動行程と、前記表示移動信号によって表される画像中から所定期間に亘り一定輝度で表示される領域が存在する場合には前記領域に対して輝度レベルを低下させるべく前記表示移動映像信号の輝度レベルを調整する輝度調整行程と、を有する。
【０００９】
又、請求項９記載による画像表示装置は、複数の表示画素を有する表示デバイスの表示画面の焼付防止機能を備えた画像表示装置であって、入力映像信号に基づく１フレーム分の画像全体の表示位置を時間経過に伴い移動させるべき処理を前記入力映像信号に施して表示移動映像信号を得る表示位置移動手段と、前記表示移動映像信号によって示される信号レベルを前記表示画素毎に所定期間に亘り累積加算して得られた累積加算結果を示す累積映像信号レベルを生成する累積映像信号レベル演算手段と、前記表示画素に対応した前記累積映像信号レベルに応じて当該表示画素に対応した前記表示移動映像信号の信号レベルを調整する映像信号レベル調整手段と、を有する。
【００１０】
又、請求項１０記載による画像表示装置は、複数の表示画素を有する表示デバイスの表示画面の焼付防止機能を備えた画像表示装置であって、入力映像信号に基づく１フレーム分の画像全体の表示位置を時間経過に伴い移動させるべき処理を前記入力映像信号に施して表示移動映像信号を得る表示位置移動手段と、前記入力映像信号によって示される信号レベルを前記表示移動映像信号に基づく移動を考慮して前記表示画素毎に所定期間に亘り累積加算して得られた累積加算予測結果を示す累積映像信号レベルを生成する累積映像信号レベル予測演算手段と、前記表示画素に対応した前記累積映像信号レベルに応じて当該表示画素に対応した前記表示移動映像信号の信号レベルを調整する映像信号レベル調整手段と、を有する。
【００１１】
又、請求項１６記載による画像表示装置は、複数の表示画素を有する表示デバイスの表示画面の焼付防止機能を備えた画像表示装置であって、入力映像信号に基づく１フレーム分の画像全体の表示位置を時間経過に伴い移動させるべき処理を前記入力映像信号に施して表示移動映像信号を得る表示位置移動手段と、前記表示移動映像信号によって示される信号レベルを複数の前記表示画素からなる表示画素ブロック毎に所定期間に亘り累積加算して得られた累積加算結果を示す累積映像信号レベルを生成する累積映像信号レベル演算手段と、前記表示画素ブロックに対応した前記累積映像信号レベルに応じて当該表示画素ブロックに属する前記表示画素各々に対応した前記表示移動映像信号の信号レベルを調整する映像信号レベル調整手段と、を有する。
【００１２】
又、請求項１７記載による画像表示装置は、複数の表示画素を有する表示デバイスの表示画面の焼付防止機能を備えた画像表示装置であって、入力映像信号に基づく１フレーム分の画像全体の表示位置を時間経過に伴い移動させるべき処理を前記入力映像信号に施して表示移動映像信号を得る表示位置移動手段と、前記入力映像信号によって示される信号レベルを前記表示移動映像信号に基づく移動を考慮して複数の前記表示画素からなる表示画素ブロック毎に所定期間に亘り累積加算して得られた累積加算結果を示す累積映像信号レベルを生成する累積映像信号レベル予測演算手段と、前記表示画素ブロックに対応した前記累積映像信号レベルに応じて当該表示画素ブロックに属する前記表示画素各々に対応した前記表示移動映像信号の信号レベルを調整する映像信号レベル調整手段と、を有する。
【００１３】
又、請求項２１記載による画像表示装置は、複数の表示画素を有する表示デバイスの表示画面の焼付防止機能を備えた画像表示装置であって、入力映像信号に基づく１フレーム分の画像全体の表示位置を時間経過に伴い移動させるべき処理を前記入力映像信号に施すことにより第１の表示移動映像信号又は前記第１の表示移動映像信号とは異なる移動形態にて前記画像全体の表示位置が時間経過に伴って移動する第２の表示移動映像信号を生成する表示位置移動手段と、前記入力映像信号によって示される信号レベルを前記第１の表示移動映像信号に基づく移動を考慮して前記表示画素毎に所定フレームに亘り累積加算して得られた累積加算予測結果を示す第１の累積映像信号レベルを生成する第１の累積映像信号レベル予測演算手段と、前記入力映像信号によって示される信号レベルを前記第２の表示移動映像信号に基づく移動を考慮して前記表示画素毎に所定フレームに亘り累積加算して得られた累積加算予測結果を示す第２の累積映像信号レベルを生成する第２の累積映像信号レベル予測演算手段と、１フレームまたは１フレームの一部分の前記表示画素に対応した前記第１の累積映像信号レベルと前記第２の累積映像信号レベルとの比較結果に基づき、前記第１の表示移動映像信号及び前記第２の表示移動映像信号の内の一方を示す選択信号を生成する映像信号レベル制御手段と、を具備し、前記表示位置移動手段は、前記第１の表示移動映像信号及び前記第２の表示移動映像信号各々の内から前記選択信号によって示される方を択一的に生成する。
【００１４】
又、請求項２２記載による表示画面の焼付防止方法は、複数の表示画素を有する表示デバイスの表示画面の焼付防止方法であって、入力映像信号に基づく１フレーム分の画像全体の表示位置を時間経過に伴い移動させるべき処理を前記入力映像信号に施して表示移動映像信号を得る表示位置移動行程と、前記表示移動映像信号によって示される信号レベルを前記表示画素毎に所定期間に亘り累積加算して得られた累積加算結果を示す累積映像信号レベルを生成する累積映像信号レベル演算行程と、前記表示画素に対応した前記累積映像信号レベルに応じて当該表示画素に対応した前記表示移動映像信号の信号レベルを調整する映像信号レベル調整行程と、を有する。
【００１５】
又、請求項２３記載による表示画面の焼付防止方法は、複数の表示画素を有する表示デバイスの表示画面の焼付防止方法であって、入力映像信号に基づく１フレーム分の画像全体の表示位置を時間経過に伴い移動させるべき処理を前記入力映像信号に施して表示移動映像信号を得る表示位置移動行程と、前記入力映像信号によって示される信号レベルを前記表示移動映像信号に基づく移動を考慮して前記表示画素毎に所定期間に亘り累積加算して得られた累積加算予測結果を示す累積映像信号レベルを生成する累積映像信号レベル予測演算行程と、前記表示画素に対応した前記累積映像信号レベルに応じて当該表示画素に対応した前記表示移動映像信号の信号レベルを調整する映像信号レベル調整行程と、を有する。
【００１６】
又、請求項２４記載による表示画面の焼付防止方法は、複数の表示画素を有する表示デバイスの表示画面の焼付防止方法であって、入力映像信号に基づく１フレーム分の画像全体の表示位置を時間経過に伴い移動させるべき処理を前記入力映像信号に施して表示移動映像信号を得る表示位置移動行程と、前記表示移動映像信号によって示される信号レベルを複数の前記表示画素からなる表示画素ブロック毎に所定期間に亘り累積加算して得られた累積加算結果を示す累積映像信号レベルを生成する累積映像信号レベル演算行程と、前記表示画素ブロックに対応した前記累積映像信号レベルに応じて当該表示画素ブロックに属する前記表示画素各々に対応した前記表示移動映像信号の信号レベルを調整する映像信号レベル調整行程と、を有する。
【００１７】
又、請求項２５記載による表示画面の焼付防止方法は、複数の表示画素を有する表示デバイスの表示画面の焼付防止方法であって、入力映像信号に基づく１フレーム分の画像全体の表示位置を時間経過に伴い移動させるべき処理を前記入力映像信号に施して表示移動映像信号を得る表示位置移動行程と、前記入力映像信号によって示される信号レベルを前記表示位移動映像信号に基づく移動を考慮して複数の前記表示画素からなる表示画素ブロック毎に所定期間に亘り累積加算して得られた累積加算結果を示す累積映像信号レベルを生成する累積映像信号レベル予測演算行程と、前記表示画素ブロックに対応した前記累積映像信号レベルに応じて当該表示画素ブロックに属する前記表示画素各々に対応した前記表示移動映像信号の信号レベルを調整する映像信号レベル調整行程と、を有する。
【００１８】
又、請求項２６記載による表示画面の焼付防止方法は、複数の表示画素を有する表示デバイスの表示画面の焼付防止方法であって、入力映像信号に基づく１フレーム分の画像全体の表示位置を時間経過に伴い移動させるべき処理を前記入力映像信号に施すことにより第１の表示移動映像信号又は前記第１の表示移動映像信号とは異なる移動形態にて前記画像全体の表示位置が時間経過に伴って移動する第２の表示移動映像信号を生成する表示位置移動行程と、前記入力映像信号によって示される信号レベルを前記第１の表示移動映像信号表に基づく移動を考慮して前記表示画素毎に所定フレームに亘り累積加算して得られた累積加算予測結果を示す第１の累積映像信号レベルを生成する第１の累積映像信号レベル予測演算行程と、前記入力映像信号によって示される信号レベルを前記第２の表示移動映像信号表に基づく移動を考慮して前記表示画素毎に所定フレームに亘り累積加算して得られた累積加算予測結果を示す第２の累積映像信号レベルを生成する第２の累積映像信号レベル予測演算行程と、１フレームまたは１フレームの一部分の前記表示画素に対応した前記第１の累積映像信号レベルと前記第２の累積映像信号レベルとの比較結果に基づき、前記第１の表示移動映像信号及び前記第２の表示移動映像信号の内の一方を示す選択信号を生成する映像信号レベル制御行程と、を具備し、前記表示位置移動行程は、前記第１の表示移動映像信号及び前記第２の表示移動映像信号各々の内から前記選択信号によって示される方を択一的に生成する。
【発明を実施するための最良の形態】
【００１９】
本発明においては、入力映像信号に基づく１フレーム分の画像全体の表示位置を時間経過に伴い移動させつつ、この移動映像中に所定期間に亘り一定輝度で表示される領域が存在する場合には、当該領域に限りその信号レベルを低下させるべきレベル調整を映像信号に対して施す。かかる構成によれば、表示画面の焼き付きを防止させるべく１フレーム分の画像全体の表示位置を時間経過に伴い移動させた際に、略均一な輝度を有する表示物体の一部が常に重なってしまう重複領域が生じた場合には、この重複領域に限り映像信号のレベルを低下させるべき調整処理が為される。よって、確実に表示画面の焼き付きを防止できるようになる。
【００２０】
又、本発明においては、上述した如き重複領域に対しては、その領域内の平均映像信号レベルが所定レベルよりも小なる場合には映像信号レベルを変化させず、一方、かかる重複領域内での平均信号レベルが所定レベルよりも大なる場合にはこの平均信号レベルが大なるほど大幅に映像信号レベルを低下させる。更に、かかる重複領域の周辺領域に対してはこの重複領域に向けて徐々に信号レベルの低下度合いを変化させるようにする。かかる構成によれば、画像に不自然さを生じさせることなく確実に表示画面の焼き付きを防止できるようになる。
【００２１】
又、本発明においては、入力映像信号に基づく１フレーム分の画像全体の表示位置を時間経過に伴い移動させつつ、映像信号レベルを表示画素（又は表示画素ブロック）毎に所定期間に亘り累積加算して得られた累積加算結果に応じて当該表示画素（又は表示画素ブロック）に対応した映像信号のレベルを調整する。この際、累積加算結果が所定値よりも小なる場合には映像信号のレベルを変化させず、一方、大なる場合にはこの累積加算結果が大なるほど大幅に信号レベルを低下させるべき調整を映像信号に施す。かかる構成によれば、オービディング処理によって表示物体を移動させた際にこの表示物体の一部が常に重なる領域となってしまっても、この領域のみ映像信号レベルの低下調整が為されるので、画像に不自然さを生じさせることなく確実に表示画面の焼き付きを防止できるようになる。
【実施例１】
【００２２】
図２は、本発明の第１の実施例による表示画面の焼付防止機能を備えた画像表示装置の概略構成を示す図である。
【００２３】
図２に示されるように、かかる画像表示装置は、焼付防止回路１０、ドライバ２０及びＣＲＴ(Cathode Ray Tube)、又はプラズマディスプレイパネル等からなる表示デバイス３０から構成される。
【００２４】
焼付防止回路１０のオービティング処理回路１は、入力映像信号に基づく１フレーム分の画像全体の表示位置を時間経過に伴い移動させるべき処理をかかる入力映像信号に施して得られた表示移動映像信号Ｖ１を、遅延回路２、映像信号レベル制御回路３及び映像信号レベル調整回路４の各々に供給する。尚、実際の表示画素は複数の色のセル、例えば赤（Ｒ），緑（Ｇ），青（Ｂ）から構成される場合が多いので、表示デバイス３０の各画素がＲＧＢの３画素セルから構成される場合、上記入力映像信号はＲＧＢの３個の映像信号となる。この際、表示される画像の輝度はＲＧＢ毎の映像信号のレベルによって決定され、信号レベルが大きいほど輝度が高くなるが、各映像信号のレベルは必ずしも輝度のみを表す訳ではない。
【００２５】
遅延回路２は、上記表示移動映像信号Ｖ１を所定期間だけ遅延させ、これを表示移動映像信号Ｖ２として映像信号レベル制御回路３に供給する。尚、上記所定期間とは、ｔフレーム分の表示期間（ｔ：自然数）である。よって、映像信号レベル制御回路３には、現フレームに対応した表示移動映像信号Ｖ１と、現フレームよりもｔフレーム分だけ前（過去）のフレームに対応した表示移動映像信号Ｖ２とが供給されることになる。
【００２６】
映像信号レベル制御回路３は、上記表示移動映像信号Ｖ１及びＶ２に基づき焼付領域検出処理を実行（後述する）する。かかる焼付領域検出処理により、映像信号レベル制御回路３は、焼き付きが生じることが予測される画像領域を検出し、その領域に対応した映像信号に対して輝度レベルを低下させるべき調整係数を示す映像信号レベル調整信号ＹＣを生成して映像信号レベル調整回路４に供給する。映像信号レベル調整回路４は、かかる映像信号レベル調整信号ＹＣにて示される調整係数に従って表示移動映像信号Ｖ１の輝度レベルを調整したものを焼付防止映像信号としてドライバ２０に供給する。ドライバ２０は、かかる焼付防止映像信号に応じた画像を表示させるべき各種駆動信号を生成して表示デバイス３０に供給する。表示デバイス３０は、ドライバ２０から供給された駆動信号に応じた画像を表示する。
【００２７】
次に、映像信号レベル制御回路３による上記焼付領域検出処理について詳細に説明する。
【００２８】
図３は、焼付領域検出処理のフローを示す図である。
【００２９】
図３において、先ず、映像信号レベル制御回路３は、累積重複領域情報ＭＧ（後述する）の初期値として全ての画素の画素位置を示す情報をメモリ５に記憶させる（ステップＳ０）。次に、映像信号レベル制御回路３は、経過時間Ｔの初期値として「１」を内蔵レジスタ（図示せぬ）に記憶する（ステップＳ１）。次に、映像信号レベル制御回路３は、上記表示移動映像信号Ｖ１及びＶ２を夫々個別に取り込む（ステップＳ２）。次に、映像信号レベル制御回路３は、表示移動映像信号Ｖ１及びＶ２に対する１フレーム分の取り込みが終了したか否かの判定を、１フレーム分の取り込みが終了したと判定されるまで繰り返し実行する（ステップＳ３）。
【００３０】
ステップＳ３において、表示移動映像信号Ｖ１及びＶ２の１フレーム分の取り込みが終了したと判定された場合、映像信号レベル制御回路３は、取り込まれた表示移動映像信号Ｖ１に対して焼付領域候補の検出を行う。すなわち、映像信号レベル制御回路３は、表示移動映像信号Ｖ１によって表される１フレーム分の画像中から、所定値以上の表示面積を有する領域であり且つその領域内において最低の信号レベルと最高の信号レベルとのレベル差が所定値よりも小となっている領域を焼付領域候補として検出する。つまり、略均一なレベルで表示されている比較的大なる表示領域を、焼付の可能性がある領域の候補として検出するのである。そして、映像信号レベル制御回路３は、この焼付領域候補を示す情報として、その領域に属する全ての画素の画素位置を示す画素位置情報ＧＧＸをメモリ５に記憶させる。尚、１画面内において焼付領域候補が複数個検出された場合には、各焼付領域候補毎に個別に画素位置情報ＧＧＸを生成してメモリ５に記憶させる。例えば、図４に示す如く１フレーム分の画像中から焼付領域候補ＯＢ１〜ＯＢ３が検出された場合には、映像信号レベル制御回路３は、図５（ａ）の如く、焼付領域候補ＯＢ１に対応した画素位置情報ＧＧＸ1、焼付領域候補ＯＢ２に対応した画素位置情報ＧＧＸ2、焼付領域候補ＯＢ３に対応した画素位置情報ＧＧＸ3を夫々メモリ５に記憶させる（ステップＳ４）。
【００３１】
上記ステップＳ４によって表示移動映像信号Ｖ１に対する焼付領域候補の検出処理が終了したら、映像信号レベル制御回路３は、次に、表示移動映像信号Ｖ２に対してステップＳ４と同様な焼付領域候補の検出処理を実行する。すなわち、映像信号レベル制御回路３は、表示移動映像信号Ｖ２によって表される１フレーム分の画像中から、所定値以上の表示面積を有する領域であり且つその領域内において最低の信号レベルと最高の信号レベルとのレベル差が所定値よりも小となっている領域を焼付領域候補として検出する。つまり、略均一なレベルで表示されている比較的大なる表示領域を、焼付の可能性がある領域の候補として検出するのである。そして、映像信号レベル制御回路３は、この焼付領域候補を示す情報として、その領域に属する全ての画素の画素位置を示す画素位置情報ＧＧＹを図５（ｂ）に示す如くメモリ５に記憶させる。尚、１画面内において焼付領域候補が複数個検出された場合には、各焼付領域候補毎に個別に画素位置情報ＧＧＹを生成してメモリ５に記憶させる（ステップＳ５）。
【００３２】
上記ステップＳ５によって表示移動映像信号Ｖ２に対する焼付領域候補の検出処理が終了したら、映像信号レベル制御回路３は、表示移動映像信号Ｖ１に基づく焼付領域候補と、表示移動映像信号Ｖ２に基づく焼付領域候補とが重複する重複領域を検出する。すなわち、映像信号レベル制御回路３は、上記画素位置情報ＧＧＸにて示される全ての画素位置と、画素位置情報ＧＧＹにて示される全ての画素位置との内から、互いに同一となる画素位置のみを抽出し、その画素位置を示す情報を重複領域情報ＰＧとしてメモリ５に上書き記憶させる。尚、図５（ａ）及び図５（ｂ）に示すように、複数の焼付領域候補各々に対応した複数の画素位置情報ＧＧＸ（又はＧＧＹ）が存在する場合には、各画素位置情報ＧＧＸ（又はＧＧＹ）毎に対応づけさせて重複領域情報ＰＧを図５（ｃ）に示す如くメモリ５に上書き記憶させる。（ステップＳ６）。
【００３３】
次に、映像信号レベル制御回路３は、この重複領域情報ＰＧにて示される全ての画素位置と、かかる重複領域情報ＰＧに対応させて図５（ｃ）の如くメモリ５に記憶されている累積重複領域情報ＭＧにて示される全ての画素位置との内から、互いに同一となる画素位置のみを抽出し、その画素位置を示す情報を新たな累積重複領域情報ＭＧとしてメモリ５に上書き記憶させる（ステップＳ７）。すなわち、ステップＳ７の実行により、メモリ５に予め記憶されている累積重複領域（ＭＧ）と、重複領域（ＰＧ）とが重複する領域が、新たな累積重複領域（ＭＧ）としてメモリ５に上書き記憶されるのである。
【００３４】
次に、映像信号レベル制御回路３は、かかる累積重複領域情報ＭＧにて示される各画素位置に対応した表示移動映像信号Ｖ１（又はＶ２）の平均レベルを求め、これを平均映像信号レベル情報ＡＶとして累積重複領域情報ＭＧに対応づけして図５（ｃ）に示す如くメモリ５に記憶させる（ステップＳ８）。
【００３５】
次に、映像信号レベル制御回路３は、内蔵レジスタに記憶されている経過時間Ｔが所定の経過時間ＴMAXを越えたか否かの判定を行う（ステップＳ９）。かかるステップＳ９において、経過時間ＴがＴMAXを越えたていないと判定された場合、映像信号レベル制御回路３は、この経過時間Ｔに「１」を加算したものを新たな経過時間Ｔとして上記内蔵レジスタに上書き記憶する（ステップＳ１０）。ステップＳ１０の実行後、映像信号レベル制御回路３は、上記ステップＳ２の実行に戻って前述した如き動作を繰り返し実行する。
【００３６】
一方、かかるステップＳ９において、経過時間ＴがＴMAXを越えたと判定された場合、映像信号レベル制御回路３は、図５（ｃ）に示す如くメモリ５に記憶されている累積重複領域情報ＭＧ及び平均映像信号レベル情報ＡＶに基づき、各画素に対応させて、上記表示移動映像信号Ｖ１に対する信号レベルの調整係数を示す映像信号レベル調整信号ＹＣを生成して、映像信号レベル調整回路４に供給する。すなわち、映像信号レベル制御回路３は、図５（ｃ）に示す如くメモリ５に記憶されている各累積重複領域情報ＭＧにて示される画素以外の全ての画素に対応した表示移動映像信号Ｖ１に対しては、これをそのままのレベルでドライバ２０に供給させるべき調整係数「１」を示す映像信号レベル調整信号ＹＣを生成して映像信号レベル調整回路４に供給する。一方、累積重複領域情報ＭＧにて示される画素各々に対応した表示移動映像信号Ｖ１に対しては、映像信号レベル制御回路３は、この累積重複領域情報ＭＧに対応した平均映像信号レベル情報ＡＶに基づき映像信号レベル調整信号ＹＣを生成する。つまり、平均映像信号レベル情報ＡＶによって示される平均信号レベルが図６に示す如き所定レベルＱＹより小である場合には、表示移動映像信号Ｖ１をそのままのレベルでドライバ２０に供給させるべき調整係数「１」を示す映像信号レベル調整信号ＹＣを生成する。ところが、平均映像信号レベル情報ＡＶによって示される平均信号レベルが所定レベルＱＹより大である場合には、映像信号レベル制御回路３は、図６に示す如く平均映像信号レベル情報ＡＶにて示される平均信号レベルが大なるほど大幅に表示移動映像信号Ｖ１の信号レベルを低下させるべき調整係数を示す映像信号レベル調整信号ＹＣを生成して映像信号レベル調整回路４に供給する。この際、映像信号レベル制御回路３は、累積重複領域情報ＭＧにて示される画素群の周辺の画素、つまり累積重複領域の周辺領域に対しては、この累積重複領域に向けて徐々に、調整係数による信号レベルの低下度合いを変化させた映像信号レベル調整信号ＹＣを生成してこれを映像信号レベル調整回路４に供給する（ステップＳ１１）。
【００３７】
よって、上記ステップＳ１１の実行によれば、映像信号レベル調整回路４は、表示移動映像信号Ｖ１によって表される１フレーム画像中の上記累積重複領域情報ＭＧにて示される領域、及びその周辺領域に対応した部分に対してのみ信号レベルを低下させた映像信号を生成し、これを焼付防止映像信号としてドライバ２０に供給するのである。
【００３８】
以上の如きステップＳ１１の実行後、映像信号レベル制御回路３は、上記ステップＳ１の実行に戻り前述した如き動作を繰り返し実行する。
【００３９】
次に、かかる映像信号レベル制御回路３及び映像信号レベル調整回路４によって為される動作についてを、図７（ａ）〜図７（ｄ）に示されるが如き１つの表示物体ＱＢにおけるオービディング動作を一例にとって説明する。
【００４０】
図７（ａ）は、表示物体ＱＢの初期位置を示し、かかる表示物体ＱＢがオービディング動作により、図７（ｂ）、図７（ｃ）及び図７（ｄ）の如く順次移動して行くものとする。尚、図７（ｂ）は、図７（ａ）の状態から時間Ｔ＝１だけ経過した時点での表示物体ＱＢの位置（実線にて示す）を示す図であり、その初期位置を一点鎖線にて示してある。又、図７（ｃ）は、図７（ａ）の状態から時間Ｔ＝２だけ経過した時点での表示物体ＱＢの位置（実線にて示す）を示す図であり、その初期位置を一点鎖線、時間Ｔ＝２だけ経過した時点での位置を破線にて夫々示してある。又、図７（ｄ）は、図７（ａ）の状態から時間Ｔ＝３だけ経過した時点での表示物体ＱＢの位置（実線にて示す）を示す図であり、その初期位置を一点鎖線、時間Ｔ＝１だけ経過した時点での位置を破線、時間Ｔ＝２だけ経過した時点での位置を二点鎖線にて夫々示してある。又、図３に示されるステップＳ９での経過時間ＴMAX＝２であるとする。
【００４１】
先ず、図７（ｂ）の如き経過時間Ｔ＝１の時点では、実線にて示される位置に存在する表示物体ＯＢに対応した画素位置情報ＧＧＸ1が図５（ａ）に示す如くメモリ５に記憶されると共に、一点鎖線にて示される位置に存在した表示物体ＯＢに対応した画素位置情報ＧＧＹ1がメモリ５に記憶される（ステップＳ４及びＳ５）。そして、図７（ｂ）に示す如き、実線にて示される位置に存在する表示物体ＯＢと、一点鎖線にて示される位置に存在した表示物体ＯＢとの重複領域Ｘ１（斜線にて示す）を示す情報が累積重複領域情報ＭＧ1としてメモリ５に記憶される（ステップＳ６及びＳ７）。更に、累積重複領域情報ＭＧ1にて示される領域内での平均信号レベルを示す平均映像信号レベル情報ＡＶ1がメモリ５に記憶される（ステップＳ８）。
【００４２】
次に、図７（ｃ）の如き経過時間Ｔ＝２の時点では、実線にて示される位置に存在する表示物体ＯＢに対応した画素位置情報ＧＧＸ1がメモリ５に上書き記憶されると共に、破線にて示される位置に存在した表示物体ＯＢに対応した画素位置情報ＧＧＹ1がメモリ５に上書き記憶される（ステップＳ４及びＳ５）。そして、図７（ｃ）に示す如き、実線にて示される位置に存在する表示物体ＯＢ及び破線にて示される位置に存在した表示物体ＯＢでの重複領域Ｘ２と、メモリ５に記憶されている累積重複領域情報ＭＧ1にて示される上記重複領域Ｘ１との重複領域Ｘ12（斜線にて示す）を示す情報が累積重複領域情報ＭＧ1としてメモリ５に上書き記憶される（ステップＳ６及びＳ７）。更に、累積重複領域情報ＭＧ1にて示される領域内での平均信号レベルを示す平均映像信号レベル情報ＡＶ1がメモリ５に記憶される（ステップＳ８）。
【００４３】
次に、図７（ｄ）の如き経過時間Ｔ＝３の時点では、実線にて示される位置に存在する表示物体ＯＢに対応した画素位置情報ＧＧＸ1がメモリ５に上書き記憶されると共に、二点鎖線にて示される位置に存在した表示物体ＯＢに対応した画素位置情報ＧＧＹ1がメモリ５に上書き記憶される（ステップＳ４及びＳ５）。そして、図７（ｄ）に示す如き、実線にて示される位置に存在する表示物体ＯＢ及び二点鎖線にて示される位置に存在した表示物体ＯＢでの重複領域Ｘ３と、メモリ５に記憶されている累積重複領域情報ＭＧ1にて示される上記重複領域Ｘ12との重複領域Ｘ123（斜線にて示す）を示す情報が累積重複領域情報ＭＧ1としてメモリ５に上書き記憶される（ステップＳ６及びＳ７）。更に、累積重複領域情報ＭＧ1にて示される領域内での平均信号レベルを示す平均映像信号レベル情報ＡＶ1がメモリ５に記憶される（ステップＳ８）。
【００４４】
ここで、経過時間Ｔ＝３であり、経過時間ＴMAX＝２を過ぎているので、映像信号レベル制御回路３は、この時点においてメモリ５に記憶されている累積重複領域情報ＭＧ1及び平均映像信号レベル情報ＡＶ1に基づいて映像信号レベル調整信号ＹＣを生成する。すなわち、映像信号レベル制御回路３及び映像信号レベル調整回路４は、図７（ｄ）に示す如き重複領域Ｘ123に属する画素各々に対応した映像信号に限りその信号レベルを図６に示される特性に従って低下させるのである。
【００４５】
よって、かかる動作によれば、オービディング処理によって表示物体を移動させた際に、この表示物体の一部が常に重なる領域ができてしまっても、この領域のみその映像信号のレベルを低下させるようにしたので、画像に不自然さを生じさせることなく確実に表示画面の焼き付きを防止できるようになる。
【実施例２】
【００４６】
図８は、本発明の第２の実施例による表示画面の焼付防止機能を備えた画像表示装置の概略構成を示す図である。
【００４７】
図８に示されるように、かかる画像表示装置は、焼付防止回路１０、ドライバ２０及びＣＲＴ(Cathode Ray Tube)、又はプラズマディスプレイパネル等からなる表示デバイス３０から構成される。
【００４８】
焼付防止回路１０のオービティング処理回路１は、入力映像信号に基づく１フレーム分の画像全体の表示位置を時間経過に伴い移動させるべき処理をかかる入力映像信号に施して得られた表示移動映像信号Ｖ１を、ＲＧＢ映像信号レベル累積演算回路１０１及び映像信号レベル調整回路４の各々に供給する。
【００４９】
ＲＧＢ映像信号レベル累積演算回路１０１は、図９に示す如き画素Ｇ(1,1)〜Ｇ(n,m)を有する表示デバイス３０の各画素Ｇ毎に、その画素に属する３つの画素セル、つまり赤色発光を為す赤色画素セルＣR、緑色発光を為す緑色画素セルＣG及び青色発光を為す青色画素セルＣB各々の所定期間内での輝度レベルの累積加算を、上記表示移動映像信号Ｖ１に基づいて実行する。次に、ＲＧＢ映像信号レベル累積演算回路１０１は、各画素Ｇ毎に、赤色画素セルＣRでの映像信号レベルの累積加算結果を示す赤色累積映像信号レベルＡＹR、緑色画素セルＣGでの映像信号レベルの累積加算結果を示す緑色累積映像信号レベルＡＹG、青色画素セルＣBでの映像信号レベルの累積加算結果を示す青色累積映像信号レベルＡＹBを夫々生成する。そして、ＲＧＢ映像信号レベル累積演算回路１０１は、これら赤色累積映像信号レベルＡＹR、緑色累積映像信号レベルＡＹG、及び青色累積映像信号レベルＡＹBに基づいて各画素Ｇの代表累積映像信号レベルを求め、これを代表累積映像信号レベルＡとして映像信号レベル制御回路１０２に供給する。例えば、ＲＧＢ映像信号レベル累積演算回路１０１は、表示移動映像信号Ｖ１における連続した１０フレーム毎に、その１０フレーム数分の信号レベルの累積加算を各画素セル（ＣR、ＣG、ＣB）毎に行う。そして、各画素セル（ＣR、ＣG、ＣB）毎に算出された累積加算結果の各々を示す赤色累積映像信号レベルＡＹR、緑色累積映像信号レベルＡＹG及び青色累積映像信号レベルＡＹBを生成する。ここで、ＲＧＢ映像信号レベル累積演算回路１０１は、上記赤色累積映像信号レベルＡＹR、緑色累積映像信号レベルＡＹG、及び青色累積映像信号レベルＡＹB各々の内から信号レベルの最大値を検出し、その値を画素Ｇの代表累積映像信号レベルＡとして映像信号レベル制御回路１０２に供給するのである。尚、代表累積映像信号レベルＡとしては、上記赤色累積映像信号レベルＡＹR、緑色累積映像信号レベルＡＹG、及び青色累積映像信号レベルＡＹBにおける最小値と最大値との間の値を採用しても良い。更に、最大値に限らず、平均値、中間値、又は最小値を代表累積映像信号レベルＡとしても良い。
【００５０】
又、第１〜第１２フレームに対応した表示移動映像信号Ｖ１が順次供給される場合、ＲＧＢ映像信号レベル累積演算回路１０１は、先ず、第１〜第１０フレームからなる連続した１０フレーム分の信号レベルの累積加算結果を各画素セル（ＣR、ＣG、ＣB）毎に算出し、更に赤色累積映像信号レベルＡＹR、緑色累積映像信号レベルＡＹG及び青色累積映像信号レベルＡＹBの代表累積映像信号レベルＡを求めて映像信号レベル制御回路１０２に供給する。次に、第２〜第１１フレームからなる連続した１０フレーム分の信号レベルの累積加算結果を各画素セル毎に算出し、夫々赤色累積映像信号レベルＡＹR、緑色累積映像信号レベルＡＹG及び青色累積映像信号レベルＡＹBとして映像信号レベル制御回路１０２に供給する。そして、第３〜第１２フレームからなる連続した１０フレーム分の信号レベルの累積加算結果を各画素セル毎に算出し、更に赤色累積映像信号レベルＡＹR、緑色累積映像信号レベルＡＹG及び青色累積映像信号レベルＡＹBの代表累積映像信号レベルＡを求めて映像信号レベル制御回路１０２に供給するのである。
【００５１】
このように、ＲＧＢ映像信号レベル累積演算回路１０１は、表示移動映像信号Ｖ１に基づき、各画素に属する赤色画素セル、緑色画素セル及び青色画素セル各々毎に、その画素セルにおける所定期間内での累積映像信号レベルを求め、更に各画素毎の累積映像信号レベルに基づいて代表累積映像信号レベルを得るのである。
【００５２】
映像信号レベル制御回路１０２は、図１０に示す如き映像信号レベル低減特性に基づき、上記代表累積映像信号レベルＡに対応した低減率にて、上記画素Ｇに対応した表示移動映像信号Ｖ１の信号レベルを低下させるべき映像信号レベル調整信号ＹＣを生成して映像信号レベル調整回路４に供給する。
【００５３】
すなわち、映像信号レベル制御回路１０２は、代表累積映像信号レベルＡが図１０に示す如き所定映像信号レベルＰＹより小である場合には、表示移動映像信号Ｖ１をそのままのレベルでドライバ２０に供給させるべき映像信号レベル調整信号ＹＣを生成する。一方、代表累積映像信号レベルＡが所定映像信号レベルＰＹより大である場合には、映像信号レベル制御回路１０２は、図１０に示す如くその代表累積映像信号のレベルが大なるほど大幅に表示移動映像信号Ｖ１の信号レベルを低下させるべき映像信号レベル調整信号ＹＣを生成して映像信号レベル調整回路４に供給する。
【００５４】
この際、映像信号レベル制御回路１０２は、図９に示す如き表示デバイス３０の画素Ｇ(1,1)〜Ｇ(n,m)各々毎に、その画素Ｇに対応した映像信号レベル調整信号ＹＣを生成しつつ、これを順次、映像信号レベル調整回路４に供給する。
【００５５】
映像信号レベル調整回路４は、かかる映像信号レベル調整信号ＹＣにて示される低減率に従って表示移動映像信号Ｖ１の信号レベルを低減させたものを焼付防止映像信号としてドライバ２０に供給する。ドライバ２０は、かかる焼付防止映像信号に応じた画像を表示させるべき各種駆動信号を生成して表示デバイス３０に供給する。表示デバイス３０は、ドライバ２０から供給された駆動信号に応じた画像を表示する。
【００５６】
以上の如く、図８に示される焼付防止回路１０は、先ず、各画素毎に、その画素を形成する各色毎の画素セルの累積映像信号レベルＡＹを求め、各色の累積映像信号レベルＡＹに基づいてその画素の代表累積映像信号レベルＡを求める。そして、代表累積映像信号レベルＡが所定映像信号レベル（ＰＹ）よりも大なる場合に、この画素セルが属する画素に対応した映像信号（Ｖ１）の信号レベルを低減させるようにしている。かかる動作によれば、代表累積映像信号レベルＡが所定映像信号レベル（ＰＹ）よりも大となる場合、つまり、比較的長期に亘り映像信号（Ｖ１）が所定映像信号レベルよりも高信号レベルな発光が為される表示領域のみを対象として、画素単位にてその信号レベルを低減させるべきレベル調整が為されるのである。
【００５７】
尚、各画素Ｇに対応した各色の画素セルの累積映像信号レベルを算出し、その各色の累積映像信号レベルから代表累積映像信号レベルＡを決定し、この代表累積映像信号レベルＡに対応した信号レベル低減率にて、前記画素Ｇに対応した各色の画素セルの信号レベルを同じ割合で低減することにより、画素Ｇの色を変化させることなく輝度低減を行い、焼き付き防止を図ることができる。すなわち同じ画素のＲＧＢの各画素セルの信号レベルを同じ割合で低減することにより画像の色の不自然さを生じさせることを防止できる。さらに、代表累積映像信号レベルＡを画素Ｇの各色の累積映像信号レベルの最大値とすることにより、焼き付き最大の画素セルに対応した焼き付き低減を図ることができる。ただし、必ずしも各色の累積映像信号レベルの最大値を代表累積映像信号レベルとする必要はなく、例えば各色の累積映像信号レベルの平均値または中間値を代表累積映像信号レベルとすることにより、平均的な焼き付きに対応させ、輝度の低下を抑制し、本来の表示画像との相違を小さく抑えることもできる。各色の累積映像信号レベルの最小値を代表累積映像信号レベルＡとすれば、本来の表示画像との相違をさらに小さく抑えることができる。
【００５８】
このようにすることによって、図１（ｂ）に示す如く、オービディング処理によって表示物体を移動させた際にこの表示物体の一部が常に重なる領域（ＭＧ）が生じてしまっても、この領域のみその信号レベルの低下が為されるので、画像に不自然さを生じさせることなく確実に表示画面の焼き付きを防止できるようになる。
【００５９】
又、図８に示されるＲＧＢ映像信号レベル累積演算回路１０１においては、各画素セル毎にその画素セルで為される発光時の累積映像信号レベルを求めるべく、現時点のフレームを含めて連続する過去１０フレーム分の各フレームでの信号レベルを累積加算するようにしているが、この際、現時点に近いフレームほど大なる重みを付けて信号レベルの累算加算を行うようにしても良い。なお、図８の実施例では、オービティング処理回路１は、入力映像信号に基づく１フレーム分の画像全体の表示位置をフレーム毎に移動させる処理を行っているが、複数フレーム毎に移動させる処理を行うこともある。例えば１０フレーム毎に移動させる処理を行う場合、この移動周期に同期して１０フレーム毎に表示移動映像信号Ｖ１をサンプリングし、各画素セル毎にその画素セルで為される発光時の累積映像信号レベルを求めるべく、現時点のフレームを含めて１０フレーム毎に１０フレーム分の各フレームでの信号レベルを累積加算するようにしてもいい。サンプリング周期はオービティング処理回路１の移動周期と同期が取られている必要がある。すなわちサンプリング周期がＮフレーム（Ｎは自然数）のとき、オービティング処理回路１の移動周期はＮの自然数倍のフレーム数になるようにする必要がある。
【００６０】
尚、図８に示されるＲＧＢ映像信号レベル累積演算回路１０１、映像信号レベル制御回路１０２では、オービディング処理の施された表示移動映像信号Ｖ１に基づき映像信号レベル調整信号ＹＣを生成している。しかしながら、図１１に示すように、オービディング処理前の入力映像信号に基づき、ＲＧＢ累積信号レベル予測演算回路２０１、映像信号レベル制御回路１０２にて映像信号レベル調整信号ＹＣを生成するようにしても良い。この場合、図８に示されるＲＧＢ映像信号レベル累積演算回路１０１に代わりＲＧＢ累積信号レベル予測演算回路２０１が用いられる。すなわち、オービティング処理回路１の動作は予め分っているので、オービティング処理回路１の処理内容を考慮し、ＲＧＢ累積信号レベル予測演算回路２０１はＲＧＢ累積映像信号レベルＡＹを算出し、例えばＲＧＢ累積映像信号レベルＡＹのうち最大の累積信号レベルを検出し、これを代表累積映像信号レベルＡとする。従って、同じ入力映像信号が入力された場合、図８のＲＧＢ映像信号レベル累積演算回路１０１の出力Ａと、図１１のＲＧＢ累積信号レベル予測演算回路２０１の出力Ａは同じ値となる。予め静止画に近い表示であることが分っている場合は１０秒に１フレームとか、１分に１フレームというように、長い周期で入力映像信号をサンプリングして累積信号レベルを演算すれば充分である。その場合ではオービティング処理は比較的短い時間で動作する。このような場合には図１１のような方法で累積信号レベルを演算することにより演算量を少なくすることができる。図１１の実施例の場合も、サンプリング周期はオービティング処理回路１の移動周期と同期が取られている必要がある。
【００６１】
又、図８に示されるＲＧＢ映像信号レベル累積演算回路１０１、及び映像信号レベル制御回路１０２では、各画素Ｇ毎にその画素Ｇに対応した映像信号の信号レベルを低減させるべき処理を行うようにしている。しかしながら、隣接する複数の画素Ｇからなる画素ブロック毎に、その画素ブロック内での信号レベルを一律に低減させるべき処理を実行するようにしても良い。すなわち、かかる画素ブロック単位にて、先ず、各画素セル（ＣR、ＣG、ＣB）毎に映像信号レベルの累積加算結果の総和（又は平均）を求めると共に、その画素ブロック内において代表的累積加算結果を選択する。例えば累積映像信号レベルが該当画素ブロック内で最大となる画素セルを検出し、この値を代表累積映像信号レベルＡとする。この代表累積映像信号レベルＡに基づいて、この画素ブロック内の全画素での発光時の信号レベルを一律に低減させるべき映像信号レベル調整信号ＹＣを生成する。その画素ブロック内において平均的な累積加算結果を代表的累積加算結果としてを選択することもできる。
【００６２】
また、図１１のオービティング処理回路１の前に複数フレーム分の遅延回路を設けることができる。こうように構成することにより、図１１において、オービティング処理回路１による移動を考慮して、ＲＧＢ累積信号レベル予測演算回路２０１は、第１フレーム〜第Ｎフレームの入力映像信号によって示される信号レベルを表示画素毎に所定期間に亘り累積加算して累積加算予測結果を示す累積映像信号レベルＡＹを生成する。具体的には各画素に属する赤色発光を為す赤色画素セルＣR、緑色発光を為す緑色画素セルＣG及び青色発光を為す青色画素セルＣB各々の第１フレーム〜第Ｎフレームの信号レベルの累積加算を、オービティング処理回路１による移動を考慮して実行する。そして、ＲＧＢ累積信号レベル予測演算回路２０１は、各画素Ｇ毎に、赤色画素セルＣRでの信号レベルの累積加算結果を示す赤色累積映像信号レベルＡＹR、緑色画素セルＣGでの信号レベルの累積加算結果を示す緑色累積映像信号レベルＡＹG、青色画素セルＣBでの信号レベルの累積加算結果を示す青色累積映像信号レベルＡＹBを夫々生成し、これらに基づいて代表累積映像信号レベルＡを検出し、映像信号レベル制御回路１０２に供給する。
【００６３】
映像信号レベル制御回路１０２は、図１０に示す如き映像信号レベル低減特性に基づき、上記代表累積映像信号レベルＡに対応した低減率にて、上記画素Ｇに対応した表示移動映像信号Ｖ１の信号レベルを低下させるべき映像信号レベル調整信号ＹＣを生成して信号レベル調整回路４に供給する。
【００６４】
すなわち、映像信号レベル制御回路１０２は、代表累積映像信号レベルＡによって示される累積映像信号レベルが図１０に示す如き所定映像信号レベルＰＹより小である場合には、表示移動映像信号Ｖ１をそのままのレベルでドライバ２０に供給させるべき映像信号レベル調整信号ＹＣを生成する。一方、代表累積映像信号レベルＡによって示される累積信号レベルが所定映像信号レベルＰＹより大である場合には、映像信号レベル制御回路１０２は、図１０に示す如くその信号レベルが大なるほど大幅に表示移動映像信号Ｖ１の信号レベルを低下させるべき映像信号レベル調整信号ＹＣを生成して信号レベル調整回路４に供給する。
【００６５】
この際、映像信号レベル制御回路１０２は、図９に示す如き表示デバイス３０の画素Ｇ(1,1)〜Ｇ(n,m)各々毎に、その画素Ｇに対応した映像信号レベル調整信号ＹＣを生成し、信号レベル調整回路４に供給する。
【００６６】
信号レベル調整回路４は、かかる映像信号レベル調整信号ＹＣにて示される低減率に従って第１フレーム〜第Ｎフレームの表示移動映像信号Ｖ１の信号レベルを低減させたものを焼付防止映像信号としてドライバ２０に供給する。ドライバ２０は、かかる焼付防止映像信号に応じた画像を表示させるべき各種駆動信号を生成して表示デバイス３０に供給する。表示デバイス３０は、ドライバ２０から供給された駆動信号に応じた画像を表示する。
【００６７】
図１１のオービティング処理回路１の前に複数フレーム分の遅延回路を設けることにより、第１フレーム〜第Ｎフレームの入力映像信号に基づいて算出した映像信号レベル調整信号ＹＣにて示される低減率に従って第１フレーム〜第Ｎフレームの表示移動映像信号Ｖ１の信号レベルを低減させることができる。
【００６８】
又、図８及び図１１の実施例において、オービディング処理の施された表示移動映像信号Ｖ１を複数フレーム分の遅延回路を設け、信号レベル調整回路４に入力することにより、第１フレーム〜第Ｎフレームの入力映像信号に基づいて算出した映像信号レベル調整信号ＹＣにて示される低減率に従って第１フレーム〜第Ｎフレームの表示移動映像信号Ｖ１の信号レベルを低減させることもできる。
【実施例３】
【００６９】
図１２は、本発明の第３の実施例による表示画面の焼付防止機能を備えた画像表示装置の概略構成を示す図である。
【００７０】
図１２に示されるように、かかる画像表示装置は、焼付防止回路５０、ドライバ２０及びＣＲＴ(Cathode Ray Tube)、又はプラズマディスプレイパネル等からなる表示デバイス３０から構成される。
【００７１】
焼付防止回路５０は、オービティング処理回路５１、第１のＲＧＢ累積映像信号レベル予測演算回路５２、第２のＲＧＢ累積映像信号レベル予測演算回路５２、映像信号レベル制御回路５４、遅延回路５５及び映像信号レベル調整回路５６から構成される。遅延回路５５は、入力映像信号を複数フレーム分遅延させ遅延入力映像信号をオービティング処理回路５１に供給する。
【００７２】
オービティング処理回路５１は、１フレーム分の画像全体の表示位置を時間経過に伴い移動させるべき移動形態が互いに異なる第１オービティング処理及び第２オービティング処理の内から選択信号ＳＣにて示されるオービティング処理を、上記遅延入力映像信号に施して得られた表示移動映像信号Ｖ１を映像信号レベル調整回路５６に供給する。
【００７３】
第１のＲＧＢ累積映像信号レベル予測演算回路５２は、先ず、入力映像信号の各画素Ｇ毎に上記オービティング処理回路５１の第１オービティング処理内容を考慮し、図９に示す如き画素Ｇ(1,1)〜Ｇ(n,m)を有する表示デバイス３０の各画素Ｇ毎に、その画素に属する３つの画素セル、つまり赤色発光を為す赤色画素セルＣR、緑色発光を為す緑色画素セルＣG及び青色発光を為す青色画素セルＣB各々の所定期間内での映像信号レベルの累積加算を行う。これにより、第１のＲＧＢ累積映像信号レベル予測演算回路５２は、赤色画素セルＣRでの累積加算結果を示す赤色累積映像信号レベルＡＹR１、緑色画素セルＣGでの累積加算結果を示す緑色累積映像信号レベルＡＹG１、青色画素セルＣBでの累積加算結果を示す青色累積映像信号レベルＡＹB１を夫々生成する。そして、これら赤色累積映像信号レベルＡＹR１、緑色累積映像信号レベルＡＹG１、青色累積映像信号レベルＡＹB１に基づいて各画素Ｇの第１の代表累積映像信号レベルＡ１を算出する。
【００７４】
第２のＲＧＢ累積映像信号レベル予測演算回路５３は、先ず、入力映像信号の各画素Ｇ毎に上記オービティング処理回路５１の第２オービティング処理内容を考慮し、図９に示す如き画素Ｇ(1,1)〜Ｇ(n,m)を有する表示デバイス３０の各画素Ｇ毎に、その画素に属する３つの画素セル、つまり赤色発光を為す赤色画素セルＣR、緑色発光を為す緑色画素セルＣG及び青色発光を為す青色画素セルＣB各々の所定期間内での映像信号レベルの累積加算を行う。これにより、第２のＲＧＢ累積映像信号レベル予測演算回路５３は、赤色画素セルＣRでの累積加算結果を示す赤色累積映像信号レベルＡＹR２、緑色画素セルＣGでの累積加算結果を示す緑色累積映像信号レベルＡＹG２、青色画素セルＣBでの累積加算結果を示す青色累積映像信号レベルＡＹB２を夫々生成する。そして、これら赤色累積映像信号レベルＡＹR２、緑色累積映像信号レベルＡＹG２、青色累積映像信号レベルＡＹB２に基づいて各画素Ｇの第２の代表累積映像信号レベルＡ２を算出する。
【００７５】
映像信号レベル制御回路５４は、先ず、１フレームまたは１フレームの一部分の表示画素に対応した第１の代表累積映像信号レベルＡ１及び第２の代表累積映像信号レベルＡ２の大小比較を行う。そして、映像信号レベル制御回路５４は、その比較結果に基づき第１のオービティング処理及び第２のオービティング処理の内のどちらを選択させるかを示す選択信号ＳＣを生成してこれをオービティング処理回路５１に供給すると共に、選択したオービティング処理に対応する代表累積映像信号レベルに基づいて各画素Ｇの映像信号レベル調整信号ＹＣを生成してこれを映像信号レベル調整回路５６に供給する。
【００７６】
次に実施例３の画像表示装置の動作について説明する。図１２に示すように、オービディング処理前の第１フレーム〜第Ｎフレーム（Ｎは自然数）の入力映像信号は第１のＲＧＢ累積映像信号レベル予測演算回路５２と第２のＲＧＢ累積映像信号レベル予測演算回路５３に入力される。第１のＲＧＢ累積映像信号レベル予測演算回路５２は、第１のオービティング処理内容を考慮して、各画素Ｇの赤の累積映像信号レベルＡＹR、緑の累積映像信号レベルＡＹG、青の累積映像信号レベルＡＹBを算出する。そして、第１のＲＧＢ累積映像信号レベル予測演算回路５２は、これら赤の累積映像信号レベルＡＹR、緑の累積映像信号レベルＡＹG、青の累積映像信号レベルＡＹBに基づいて第１の代表累積映像信号レベルＡ１を算出し、映像信号レベル制御回路５４に供給する。尚、第１の代表累積映像信号レベルＡ１は、実施例２と同様、赤の累積映像信号レベルＡＹR、緑の累積映像信号レベルＡＹG、青の累積映像信号レベルＡＹBの最大値、最小値、または最小値と最大値の間の数値、例えば赤の累積映像信号レベルＡＹR、緑の累積映像信号レベルＡＹG、青の累積映像信号レベルＡＹBの平均値でも良い。第２のＲＧＢ累積映像信号レベル予測演算回路５３は、第２のオービティング処理内容を考慮して、各画素Ｇの赤の累積映像信号レベルＡＹR、緑の累積映像信号レベルＡＹG、青の累積映像信号レベルＡＹBを算出する。そして、第２のＲＧＢ累積映像信号レベル予測演算回路５３は、これら赤の累積映像信号レベルＡＹR、緑の累積映像信号レベルＡＹG、青の累積映像信号レベルＡＹBに基づいて第２の代表累積映像信号レベルＡ２を算出し、映像信号レベル制御回路５４に供給する。
【００７７】
映像信号レベル制御回路５４は、１フレームまたは１フレームの一部分の表示画素に対応した第１の代表累積映像信号レベルＡ１と第２の代表累積映像信号レベルＡ２との大小比較結果に基づき、全体として代表信号レベル信号が小さくなるオービティング処理を選択する。すなわち、映像信号レベル制御回路５４は、第１のオービティング処理及び第２のオービティング処理の内から、映像信号レベル調整回路５６における映像信号レベルの調整量が少ない方を選択させる選択信号ＳＣを生成し、オービティング処理回路５１に供給する。また第１の代表累積映像信号レベルＡ１と第２の代表累積映像信号レベルＡ２のうち選択したオービティング処理に対応した代表累積映像信号レベルに基づいて図１０から該当画素に対する映像信号レベル低減率を決定し、その低減率に対応するレベル調整信号ＹＣを信号レベル調整回路５６に供給する。
【００７８】
遅延回路５５は、入力映像信号をＮフレーム分遅延させた遅延入力映像信号をオービティング処理回路５１に供給する。オービティング処理回路５１は、映像信号レベル制御回路５４から供給される選択信号ＳＣに応じて第１及び第２のオービティング処理の内の一方を選択し、遅延入力映像信号に選択したオービティング処理を施した表示移動映像信号Ｖ１を映像信号レベル調整回路５６に供給する。
【００７９】
映像信号レベル調整回路５６は、第１フレーム〜第２０フレームの表示移動映像信号Ｖ１を第１フレーム〜第Ｎフレームの入力映像信号に基づいて生成された映像信号レベル調整信号ＹＣに応じて信号レベルを調整してドライバ２０に供給する。ドライバ２０はレベル調整された第１フレーム〜第Ｎフレームの入力映像信号に基づく画像を表示させるべく表示デバイス３０を駆動する。
【００８０】
ここで、上記の如き実施例３における実施例２に対する相違点は、映像信号に対するレベル調整をできるだけすることなく焼付きを防止できるように、第１のオ−ビティング処理と第２のオ−ビティング処理のどちらかを選択するように構成されている点である。尚、３個以上のオ−ビティング処理から最適なオ−ビティング処理、すなわち信号レベル調整をできるだけすることなく焼付きを防止できるオービティング処理を実施させるようにしても良い。
【図面の簡単な説明】
【００８１】
【図１】オービディング処理によって生じる重複領域の一例を示す図である。
【図２】本発明の第１の実施例による画像表示装置の構成を示す図である。
【図３】焼付領域検出処理のフローを示す図である。
【図４】１画面内に複数の焼付領域候補が存在する場合の一例を示す図である。
【図５】メモリ５の記憶内容をの一部を示す図である。
【図６】累積映像信号レベル情報ＡＶと映像信号レベル調整信号ＹＣにおける調整係数との対応関係を示す図である。
【図７】本発明による動作の一例を示す図である。
【図８】本発明の第２の実施例による画像表示装置の構成を示す図である。
【図９】表示デバイス３０における表示画面内の画素配列を示す図である。
【図１０】代表累積映像信号レベルＡと映像信号レベル調整信号ＹＣにおける映像信号レベル低減率との対応関係を示す図である。
【図１１】図８に示される画像表示装置の変形例を示す図である。
【図１２】図１１に示される画像表示装置の変形例を示す図である。
【符号の説明】
【００８２】
1,51       オービティング処理回路
2,55       遅延回路
3,54,102   映像信号レベル制御回路
４         映像信号レベル調整回路
５         メモリ
101        RGB映像信号レベル累積演算回路
201        RGB累積映像信号レベル予測演算回路
【図１】
2007271678.tif 000003
【図２】
2007271678.tif 000004
【図３】
2007271678.tif 000005
【図４】
2007271678.tif 000006
【図５】
2007271678.tif 000007
【図６】
2007271678.tif 000008
【図７】
2007271678.tif 000009
【図８】
2007271678.tif 000010
【図９】
2007271678.tif 000011
【図１０】
2007271678.tif 000012
【図１１】
2007271678.tif 000013
【図１２】
2007271678.tif 000014